【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
有価価値を特定可能な情報が記録された遊技者所有の遊技用記録媒体を受付けて、該受付けた遊技用記録媒体から特定される有価価値を使用して遊技を可能にするための処理を行なう遊技用装置であって、
遊技者による前記有価価値の引落要求があったことを検出する引落要求検出手段と、
該引落要求検出手段の検出に基づいて、前記遊技用記録媒体により特定される前記有価価値から所定の大きさの引落有価価値を減算更新し、前記引落有価価値の大きさに相当する遊技媒体を用いた遊技を可能にするための処理をする減算更新処理手段と、
該減算更新処理手段による処理の実行から所定条件が成立するまでの期間、前記引落要求検出手段の検出に基づいた前記減算更新処理手段の処理を不能動化する減算更新処理不能動化手段と、
該減算更新処理不能動化手段により前記減算更新処理手段による処理が不能動化されている期間に前記引落要求検出手段で前記有価価値の引落要求があったことが検出された場合にその旨を報知するための報知手段と、
該報知手段により報知が行なわれている期間において、前記遊技用記録媒体の排出を禁止する遊技用記録媒体排出禁止手段とを含むことを特徴とする、遊技用装置。
【請求項２】
前記減算更新処理手段による処理の実行から所定の大きさの遊技媒体が遊技に使用されたことを条件に前記減算更新処理手段による処理の不能動状態を解除する不能動状態解除手段をさらに含むことを特徴とする、請求項１記載の遊技用装置。
【請求項３】
前記減算更新処理手段による処理の実行から所定時間が経過したことを条件に前記減算更新処理手段による処理の不能動状態を解除する不能動状態解除手段をさらに含むことを特徴とする、請求項１記載の遊技用装置。
【手続補正２】
【補正対象書類名】明細書
【補正対象項目名】０００１
【補正方法】変更
【補正の内容】
【０００１】
【発明の属する技術分野】
本発明は、遊技用装置に関し、詳しくは、有価価値を特定可能な情報が記録された遊技者所有の遊技用記録媒体を受付けて、該受付けた遊技用記録媒体から特定される有価価値を使用して遊技を可能にするための処理を行なう遊技用装置に関する。
【手続補正３】
【補正対象書類名】明細書
【補正対象項目名】０００２
【補正方法】変更
【補正の内容】
【０００２】
【従来の技術】
この種の遊技用装置として従来から一般的に知られているものに、たとえば、有価価値を特定可能な情報が記録された遊技者所有の遊技用記録媒体を受付けて、該受付けた遊技用記録媒体から特定される有価価値を使用して遊技を可能にするための処理を行なう遊技用装置があった。そして、たとえば遊技者が所定の前記有価価値の引落操作を行なうと前記有価価値から所定の大きさの引落有価価値が減算更新され、前記引落有価価値の大きさに相当する遊技媒体を用いた前記遊技機における遊技が可能となるように構成されていた。
【手続補正４】
【補正対象書類名】明細書
【補正対象項目名】０００７
【補正方法】変更
【補正の内容】
【０００７】
【課題を解決するための手段】
請求項１に記載の本発明は、有価価値を特定可能な情報が記録された遊技者所有の遊技用記録媒体を受付けて、該受付けた遊技用記録媒体から特定される有価価値を使用して遊技を可能にするための処理を行なう遊技用装置であって、
遊技者による前記有価価値の引落要求があったことを検出する引落要求検出手段と、
該引落要求検出手段の検出に基づいて、前記遊技用記録媒体により特定される前記有価価値から所定の大きさの引落有価価値を減算更新し、前記引落有価価値の大きさに相当する遊技媒体を用いた遊技を可能にするための処理をする減算更新処理手段と、
該減算更新処理手段による処理の実行から所定条件が成立するまでの期間、前記引落要求検出手段の検出に基づいた前記減算更新処理手段の処理を不能動化する減算更新処理不能動化手段と、
該減算更新処理不能動化手段により前記減算更新処理手段による処理が不能動化されている期間に前記引落要求検出手段で前記有価価値の引落要求があったことが検出された場合にその旨を報知するための報知手段と、
該報知手段により報知が行なわれている期間において、前記遊技用記録媒体の排出を禁止する遊技用記録媒体排出禁止手段とを含むことを特徴とする。
【手続補正５】
【補正対象書類名】明細書
【補正対象項目名】０００８
【補正方法】変更
【補正の内容】
【０００８】
請求項２に記載の本発明は、請求項１に記載の発明の構成に加えて、前記減算更新処理手段による処理の実行から所定の大きさの遊技媒体が遊技に使用されたことを条件に前記減算更新処理手段による処理の不能動状態を解除する不能動状態解除手段をさらに含むことを特徴とする。
【手続補正６】
【補正対象書類名】明細書
【補正対象項目名】０００９
【補正方法】変更
【補正の内容】
【０００９】
請求項３に記載の本発明は、請求項１に記載の発明の構成に加えて、前記減算更新処理手段による処理の実行から所定時間が経過したことを条件に前記減算更新処理手段による処理の不能動状態を解除する不能動状態解除手段をさらに含むことを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
【作用】
請求項１に記載の本発明によれば、引落要求検出手段の働きにより、遊技者による前記有価価値の引落要求があったことが検出される。減算更新処理手段の働きにより、前記引落要求検出手段の検出に基づいて、前記遊技用記録媒体により特定される前記有価価値から所定の大きさの引落有価価値が減算更新され、前記引落有価価値の大きさに相当する遊技媒体を用いた前記遊技機における遊技が可能となる。減算更新処理不能動化手段の働きにより、該減算更新処理手段による処理の実行から所定条件が成立するまでの期間、前記引落要求検出手段の検出に基づいた前記減算更新処理手段の処理が不能動化される。該減算更新処理不能動化手段により前記減算更新処理手段による処理が不能動化されている期間に前記引落要求検出手段で前記有価価値の引落要求があったことが検出された場合に、報知手段の働きによりその旨が報知される。前記報知手段により報知が行なわれている期間において、遊技用記録媒体排出禁止手段の働きにより、前記遊技用記録媒体の排出が禁止される。
【手続補正１１】
【補正対象書類名】明細書
【補正対象項目名】００１４
【補正方法】変更
【補正の内容】
【００１４】
請求項２に記載の本発明によれば、請求項１に記載の発明の作用に加えて、前記不能動状態解除手段の働きにより、前記減算更新処理手段による処理の実行から所定の大きさの遊技媒体が遊技に使用されたことを条件に前記減算更新処理手段による処理の不能動状態が解除される。
【手続補正１２】
【補正対象書類名】明細書
【補正対象項目名】００１５
【補正方法】変更
【補正の内容】
【００１５】
請求項３の記載の本発明によれば、請求項１に記載の発明の作用に加えて、前記不能動状態解除手段の働きにより、前記減算更新処理手段による処理の実行から所定時間が経過したことを条件に前記減算更新処理手段による処理の不能動状態が解除される。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】０１３８
【補正方法】変更
【補正の内容】
【０１３８】
【課題を解決するための手段の具体例の効果】
請求項１に関しては、減算更新処理手段による処理の実行から所定条件が成立するまでの期間、前記引落要求検出手段の検出に基づいた前記減算更新処理手段の処理が不能動化されるために、当該減算更新処理手段の処理が行なわれてから何らの制限もなく次の減算更新処理手段の処理が行ない得てしまうという事態を回避でき、これにより前記有価価値を特定可能な情報が不正に改変された遊技用記録媒体を利用して極めて容易に前記減算更新処理手段の処理が行なわれてしまうこと、特に、減算更新の結果としての持玉や持点が全くあるいはほとんど遊技に使用されることなく景品交換されてしまうような、景品交換を目的とした偽造記録媒体の使用を極力防止できる。また、前記不能動状態期間に前記有価価値の引落要求が検出された場合にその旨が報知されるために、前記有価価値を特定可能な情報が不正に改変された遊技用記録媒体を利用した前記有価価値の引落要求の発生の有無を推測することが可能となる。しかも、前記減算更新処理手段の処理の不能動状態期間に前記有価価値の引落要求が検出された場合に前記遊技用記録媒体の排出が禁止されるために、前記有価価値を特定可能な情報が不正に改変された遊技用記録媒体が使用されているか否かを確認する前に、当該遊技用記録媒体が遊技用装置から排出され、持ち去られてしまう不都合を防止できる。
【手続補正１７】
【補正対象書類名】明細書
【補正対象項目名】０１３９
【補正方法】変更
【補正の内容】
【０１３９】
請求項２に関しては、請求項１に関する効果に加えて、前記減算更新処理手段による処理の実行から所定の大きさの遊技媒体が遊技に使用されたことを条件に前記減算更新処理手段による処理の不能動状態が解除されるために、前記減算更新処理手段による処理が行なわれてから次の前記減算更新処理手段による処理を実行可能とするためには前記遊技媒体を遊技に使用する必要性が生じ、遊技が行なわれることのないまま前記有価価値を特定可能な情報が不正に改変された遊技用記録媒体を利用して専ら前記減算更新処理手段による処理が繰返し実行されてしまう不都合を防止できる。
【手続補正１８】
【補正対象書類名】明細書
【補正対象項目名】０１４０
【補正方法】変更
【補正の内容】
【０１４０】
請求項３に関しては、請求項１に関する効果に加えて、前記減算更新処理手段による処理の実行から所定時間が経過したことを条件に前記減算更新処理手段による処理の不能動状態が解除されるために、前記有価価値を特定可能な情報が不正に改変された遊技用記録媒体を利用して前記減算更新処理手段による処理が連続的に実行されてしまうという不都合を防止できる。
【手続補正１９】
【補正対象書類名】明細書
【補正対象項目名】０１４１
【補正方法】削除
【補正の内容】
【手続補正２０】
【補正対象書類名】明細書
【補正対象項目名】０１４２
【補正方法】削除
【補正の内容】
【手続補正２１】
【補正対象書類名】明細書
【補正対象項目名】０１４３
【補正方法】削除
【補正の内容】